(57)【特許請求の範囲】
【請求項１】
ロールベーラＡの機体１内の上部で、その機体１内に装架せるトワイン繰出装置ｗの後面側に装備されたトワイン案内金具ｅと機体１内のベール室３で成形されるロールベールＢとの間に位置する部位に、左右方向に長い棒材またはパイプ材よりなる機体１に対し固定してトワインｔの繰出方向に並列させて装架する複数の固定接触バー６・６と、それら並列する固定接触バー６・６の間隔内に配位してその間隔に対し出入調節自在に機体１に対し装架せしめる左右方向に長い棒材またはパイプ材よりなる押込接触バー７とで構成されるトワイン張力増強装置ｙを、前記トワイン案内金具ｅの左右の移動軌跡に沿わせて配し、機体１に装架せしめたことを特徴とするロールベーラにおける結束装置。
【請求項２】
トワイン張力増強装置ｙを、左右方向に長い棒材またはパイプ材よりなる機体１に対し固定してトワインｔの繰出方向に並列させて装架する複数の固定接触バー６・６と、それら並列する固定接触バー６・６の間隔内に配位してその間隔に対し出入調節自在に機体１に対し装架せしめる左右方向に長い棒材またはパイプ材よりなる押込接触バー７とで構成したことを特徴とする請求項１記載のロールベーラにおける結束装置。
【請求項３】
トワイン張力増強装置ｙを、左右方向に長い棒材またはパイプ材よりなり機体１に対し固定してトワインｔの繰出方向に並列させて装架する複数の固定接触バー６・６と、それら並列する固定接触バー６・６の間隔内に配位してその間隔に対し出入調節自在に機体１に対し装架せしめる左右方向に長い棒材またはパイプ材よりなる押込接触バー７とで構成し、それの押込接触バー７の、トワイン繰出装置ｗから繰り出されるトワインｔのスタート位置に対応する部位に、開口部ｚを設け、その開口部ｚの口縁部位に、前記スタート位置に繰り出されたトワインｔをその開口部ｚを介して押込接触バー７の内面側にガイドするガイド７１を装設したことを特徴とする請求項１記載のロールベーラにおける結束装置。
【請求項４】
トワイン張力増強装置ｙを、左右方向に長い棒材またはパイプ材よりなり機体１に対し固定してトワインｔの繰出方向に並列させて装架する複数の固定接触バー６・６と、それら並列する固定接触バー６・６の間隔内に配位してその間隔に対し出入調節自在に機体１に対し装架せしめる左右方向に長い棒材またはパイプ材よりなる押込接触バー７とで構成し、それの押込接触バー７の左右の端部側で、トワイン繰出装置ｗから繰り出されてトワイン案内金具ｅにより左右に移動しながらベール成形室３内のロールベールＢの周面に巻付いていくトワインｔが結束巾決金具ｆに接触して繰り出される領域と対応する部位に、その領域にあるトワインｔとの接触による張力増強を解放する張力解放部７ｃを形成したことを特徴とする請求項１記載のロールベーラにおける結束装置。
【請求項５】
トワイン張力増強装置ｙを、ベール室３内で成形されるロールベールＢの軸方向に、複数並列させて装設することを特徴とする請求項１記載のロールベーラにおける結束装置。
【発明の詳細な説明】
【０００１】
【発明が属する技術分野】
本発明は、圃場に刈倒されて地干しされている牧草を、機体の前端側に設けたピックアップ装置によりピックアップして、機体に装架してあるベール成形室に送り込み、そこで、ロール状のベールに成形して放出するロールベーラにおいて、ベール成形室で成形したロールベールの周面を、トワインロールから繰り出されるトワインにより結束して梱包するトワイン繰出装置についての改良に関する。
【０００２】
【従来の技術】
ロールベーラにおけるトワイン繰出装置ｗは、図１に示している如く、ロールベーラＡの機体１の前面側に装設せるピックアップ装置２により圃場からピックアップした牧草類を、機体１に装架してあるベール成形室３内に送り込んで、そこで、ロール状のベールＢに成形し終えたとき、そのロール状のベールＢを、機体１の外に放出する前に、そのベールＢの胴部の周面を、機体１に装填しておくトワインロールａから繰り出すトワインｔにより梱包状態に結束する装置である。
【０００３】
このロールベーラＡに装備されるトワイン繰出装置ｗは、通常、図１乃至図４にあるように、機体１に設けておく収納庫１０に装填しておくトワインｔの巻束であるトワインロールａと、それから引き出されるトワインｔに所定のブレーキを与えるよう機体１の上部に装設せるトワインブレーキｂと、トワインｔを誘導するようトワイン繰出装置ｗのフレーム４に軸支せるトワインプーリーｃと、それにより誘導されるトワインｔを繰り出すよう前記トワイン繰出装置ｗのフレームに軸支せるトワイン繰出ローラｄと、機体１のベール成形室３内でロール状に成形されたロールベールＢの軸方向に沿いエンドレスに張架されて前述のトワインプーリーｃの回転によって駆動されるチエン４０により前記軸方向に往復動して、前述繰出ローラｄから繰り出されるトワインｔのロールベールＢの周面に対する巻付け位置を、前記軸方向に順次変位させるよう前述のトワイン繰出装置ｗのフレーム４に装架せるトワイン案内金具ｅと、そのトワイン案内金具ｅの変位作動より、ロールベールＢの周面に対するトワインｔの巻付位置が、そのロールベールＢの軸端側に移動してきたときに、トワインｔの軸端側への変位を制限して巻付範囲を規制するよう機体１の上部に装架せる結束巾決金具ｆと、結束し終えたトワインｔを、トワインロールａから切り離すナイフｋとからなる。
【０００４】
そして、このトワイン繰出装置ｗの、成形されたロールベールＢの胴周面に対しトワインｔを繰出して巻付け結束していく作動は、図２に示している如く、トワインロールａからトワインブレーキｂおよびトワインプーリーｃを経て引き出されたトワインｔが、トワイン繰出ロールｄの作動で繰り出されて機体１内のベール成形室３に向けて垂れ下がり、それの下端側が、ベールＢを回転させるようチエン５０・５０により循環回動しているタイトバー５１…に接触してそれにつれ出され、それにより図２にて鎖線に示しているよう一対のチエン５０・５０の間隔内を経て成形し終えて前述の回動しているタイトバー５１によりベール成形室３内で空転しているロールベールＢの周面にからまり、その周面に巻付いて、図３にあるよう、トワイン繰出装置ｗのフレームと一方のチエン５０の回行部との間に直線に沿い張られた状態となって、以後、この状態においてベールＢの周面に巻付いていく。
【０００５】
そして、このトワインロールａから引き出されてベールＢの周面に巻付いていくトワインｔの途中に、トワインｔの繰り出しにより駆動されて回転するトワインプーリーｃの作動でエンドレスに回動するチエン４０によってベールＢの軸方向に往復移動するトワイン案内金具ｅのフック部４１が係合して、そのトワイン案内金具ｅの移動作動によって、トワインｔの中間部を前述の軸方向に移動させ、これにより、トワインｔのベールＢ周面に対する巻付位置を、図４乃至図１１に示しているよう順次変位させて、トワインｔがベールＢの周面に螺旋状に巻付いて結束・梱包し、その工程を終えたところでナイフｋによりトワインロールａ側から切り離すようにしてある。
【０００６】
なお、このトワイン繰出装置ｗは、図面においては一方を省略しているが、ロールベールＢをそれの軸方向において左右（軸方向）に２分する仮想中心線を対称軸線として左右に一対に対称するよう二連に装設されているもので、それぞれが、ロールベールＢの軸方向における一半側を結束梱包するようにしてある。
【０００７】
このため、トワイン案内金具ｅは、図４にあるようトワインｔの繰出端がロールベールＢの周面に巻付いた状態位置から、まずベールＢの左右の中心線に向けて図５の如く右方に動き、図６の如く中心線に達したところで、ベールＢの一方の軸端側に向けて折り返すように左方に動き、これによりナイフｋを通過する位置まできたトワインは、そのナイフｋを移動方向に回動させてそれの下方を通過する。そして、トワイン案内金具ｅがベールＢの左端側の端部近くに対応する位置までくるとトワインｔのトワイン案内金具ｅとベールＢとの間の部位が、機体１に固定して設けてある結束巾決金具ｆに、図９にあるよう係合してその位置より左方には変位しないようになることで、トワインｔのベールＢ周面に対する巻付位置を、この図９にある位置に保持せしめて、トワイン案内金具ｅとこれに係合しているトワインｔの部分が結束巾決金具ｆを越してさらに左方に動き、チエン４０の張設範囲により設定されるトワイン案内金具ｅの移動範囲の左方のエンドに達したところで折り返して、図１０の如く右方に動き、それにより、トワインｔが右方には動かないように規制されるナイフｋに接触して図１１にあるよう切断され、その状態位置を検出するセンサによりブザーが鳴動して、ベールＢの回動の停止を知らせて、成形したベールＢに対する結束・梱包作動が終了するようにしてある。
【０００８】
【発明が解決しようとする課題】
上述の従前のロールベーラＡにおけるトワイン繰出装置ｗは、トワインロールａから引き出されて、トワインブレーキｂ→トワインプーリーｃ→トワイン繰出ローラｄ→トワイン案内金具ｅ→結束巾決金具ｆらを、その順に経てロールベールＢの周面に巻付いていくトワインｔに与えられる張力が、トワインロールａから引き出されてたときには、殆ど無く、トワインブレーキｂを経てトワイン繰出ローラｄを出たところまでの間には僅かの小さい張力が与えられ、トワイン案内金具ｅに係合しそれを越してロールベールＢに至る間においては、トワイン案内金具ｅに接触することによる摩擦抵抗により、そのトワイン案内金具ｅの移動位置によってトワインｔが折り曲げられる角度に応じて増減する中程度の張力が与えられ、このトワイン案内金具ｅがロールベールＢの軸方向の端部側に動いて、トワインｔがさらに結束巾決金具ｆに接触することで、一層大きい摩擦抵抗により大きな張力が与えられるようになる。
【０００９】
このため、トワイン繰出装置ｗが、ロールベールＢの軸方向における左半側と右半側とにそれぞれ対応して二連に設けてある場合についていえば、そのロールベールＢの左右の中心線に対応する部位から一方の端部に至る範囲の中間において、ロールベールＢの周面に巻付くトワインｔの締付けが弱く、端部側において強い締付けとなり、締付けが弱くなる前記範囲の中間においてトワインｔの結束に緩みが出る現象を生ぜしめる問題がある。
【００１０】
この現象を解消せしめる対策としては、トワインブレーキｂの調整によりトワイン繰出ローラｄの位置においてトワインｔの張力を増加させればよいわけだが、そのようにしても、トワイン繰出ローラｄを駆動するモーターＭの駆動力には限界があることで、従来以上にトワインｔの張力を増加させ得ない問題がでてくる。
【００１１】
また、トワインｔに与える張力は、トワインｔに切断が生じない範囲としなければならず、ロールベールＢの軸方向の端部において、トワインｔに、トワイン案内金具ｅと結束巾決金具ｆとの両者により与えられる張力を限界としていることから、このロールベールＢの軸端部においてトワインｔに与えられる張力以上には張力を増加させることが出来ない制約がある。
【００１２】
本発明は、従前手段に生じている上述の問題を解消せしめるためになされたものであって、トワイン繰出装置ｗによりロールベールＢの周面に巻付けるトワインｔに対し、そのロールベールＢの端部側に巻付くときに与えられる張力と同程度ないしそれより少し小さい張力を、ロールベールＢの軸方向の中央部位において与えて、この中央部位に巻付くトワインｔの張力を増強し、この中央部位におけるトワインｔによるロールベールＢの周面の結束に緩みを生ぜしめないようにする新たな手段を提供することを目的とする。
【００１３】
【課題を解決するための手段】
そして、本発明においては、上述の目的を達成するための手段として、ロールベーラＡの機体１内の上部で、その機体１内に装架せるトワイン繰出装置ｗの後面側に装備されたトワイン案内金具ｅと機体１内のベール室３で成形されるロールベールＢとの間に位置する部位に、前記トワイン繰出装置ｗから繰り出されて前記トワイン案内金具ｅを経てロールベールＢに巻付けられていくトワインｔに接触する固定接触バー６・６とそのトワインｔを押し込む押込接触バー７とによりそのトワインｔをジグザグ状に折り曲げ誘導してそのトワインｔに張力を与えるトワイン張力増強装置ｙを、前記トワイン案内金具ｅの左右の移動軌跡に沿わせて配し、機体１に装架せしめたことを特徴とするロールベーラにおける結束装置を提起するものである。
【００１４】
【発明の実施の形態】
本発明手段においては、ロールベーラの機体内におけるベール成形室の上方位置で、トワイン繰出装置の左右に往復移動するトワイン案内金具とベール成形室で成形されたロールベールとの間に位置する部位に、トワイン案内金具からロールベールに至る間のトワインの途中に対し接触して抵抗を与えることでトワインに張力を与えるトワイン張力増強装置を、左右に往復移動するトワイン案内金具の移動軌跡と略対応する範囲にわたり、その移動軌跡と略平行するように配位して機体に装架し、かつ、このトワイン張力増強装置を、トワイン案内金具がトワインをトワイン結束巾決金具に接触させてロールベールの軸端部位に巻付けさせていく範囲においては、その結束巾決金具からロールベールの周面に向け繰り出されるトワインに対する接触が無い形状に形成しておく。
【００１５】
このトワイン張力増強装置は、上述した如く、トワインが結束巾決金具に接触してロールベールの軸端部に巻付けられているときには、そのトワインに接触せず、トワインが結束巾決金具から外れてロールベールの周面に巻付いていくときに、そのトワインに対して接触して摩擦抵抗によりそのトワインに張力を与えるようになればよく、適宜に形成してよいものであるが、ロールベールの軸心線と平行する棒材またはパイプ材よりなる固定接触バーを、トワイン案内金具からロールベールの周面との間に張られるようになるトワインの近傍でそのトワインに対し接触しないように配位して、そのトワインが繰り出される方向に間隔をおいて少なくとも２本以上複数本並列させて機体に対し固定状態に配設し、この並列する複数本の固定接触バーの間隔内に、トワイン案内金具からロールベールに向け繰り出されるトワインの途中に接触してそのトワインの接触部位を前述の間隔内に押し込んでいく棒材またはパイプ材よりなる押込接触バーを、ロールベールの軸心線に平行させて配設し、これにより、トワイン案内金具からロールベールに向けて繰り出されるトワインの途中を、並列する複数の固定接触バーと押込接触バーとによりジグザグ状に折り曲げ屈曲させて、それらにトワインが接触していくように構成することが有効である。
【００１６】
そしてこのとき、押込接触バーは、並列する複数の固定接触バーの間隔内に向けて、進退調節自在に機体に対し支架しておいて、それの進退調節によりトワインに与える張力の調節が行えるようにする。
【００１７】
また、この押込接触バーは、前述の並列する固定接触バーの間隔内に対し進退自在とする調節手段を、駆動手段で駆動して、間隔内に押し込まれた状態と間隔内から出てきた状態とに切換わるようにしておき、トワイン繰出装置から繰り出されて垂れ下がるトワインの繰出端が、並列する固定接触バーと押込接触バーとの間に挿通された状態のときに、押込接触バーが間隔内に所定位置まで押し込まれて、トワインに張力を与えるようにしてよい。
【００１８】
しかし、この押込接触バーは、並列する固定接触バーの間隔内の所定位置まで押し込まれた状態位置に設けておき、それの左右方向に連続する長手方向の途中で、トワイン繰出装置からのトワインの繰出位置と対応する部位に開口部を設け、その開口部の口縁部に、そこに位置してくるトワインが、トワイン案内金具に係合して、そのトワイン案内金具の移動によりその移動方向に変位していくときに、その移動するトワインに接触して押込接触バーの摺接面である内面側にトワインを押し込むように誘導するガイドを設けておくことで、繰り出されるトワインがトワイン案内金具の作動により、複数の並列する固定接触バーと、それらの間隔内に位置する押込接触バーとの間に挿入されて、それらにジグザグ状に折れ曲がった状態となって接触し、接触抵抗により張力が与えられるようにしてもよい。
【００１９】
また、この押込接触バーは、それの長手方向におけるロールベールの軸端部と対応する部位は、切欠くか並列する固定接触バーの間隔内から外側に離れる方向に屈曲させておいて、トワインが結束巾決金具に係合してロールベールの軸端部に巻付いていくときに、押込接触バーと固定接触バーとに対するトワインの接触が解放されるようにする。
【００２０】
また、所定の間隔をおいて並列させて機体に装架する固定接触バーは、機体の左右の機壁間に渡架装設して、これを、前述の押込接触バーの取付フレームを兼ねるよう構成し、これに押込接触バーを並列する固定接触バーの間隔内に対し出入調節自在に組付けるようにする場合がある。
【００２１】
【実施例】
次に実施の一例を図面に従い詳述する。なお図面符号は、従前手段のものと同効の構成部材について同一の符号を用いるものとする。
【００２２】
図１２は本発明によるトワイン張力増強装置を装備せしめたロールベーラＡの全体の概要側面図で、同図において、１はロールベーラＡの機体、２はその機体１の前面側の下部に装架したピックアップ装置、３はその機体１に装架したベール成形室、ｗはそのベール成形室３内でロール状に成形し終えたロールベールＢの周面を結束・梱包するトワインｔを繰り出すよう機体１の上部に装架したトワイン繰出装置、ｙはそのトワイン繰出装置ｗに組合わせてそれから繰り出されるトワインｔに対し張力を与えるよう機体１の上部に装架したトワイン張力増強装置である。
【００２３】
トワイン繰出装置ｗは、機体１の上部に装設せる収納庫１０内に装填しておくトワインロールａと、それから引き出されるトワインｔに対し所定のブレーキを与えるよう機体１の上部に装架せるトワインブレーキｂと、図１９に示すようそのトワインブレーキを通過したトワインｔを誘導するようトワイン繰出装置ｗのフレーム４に軸支したトワインプーリーｃと、それにより誘導されるトワインｔを繰り出すよう前記トワイン繰出装置ｗのフレーム４に軸支されて、そのフレーム４に支架したモーターＭにより駆動されるトワイン繰出ローラｄと、ベール成形室３内で成形されたロールベールＢの軸線方向に沿いエンドレスに回動するようトワイン繰出装置ｗのフレーム４の後面側に張設されたチエン４０に支架して、そのチエン４０が前述のトワインプーリーｃの回転により駆動されることで左右方向（前記軸線方向）に往復移動するようにし、その往復移動の動作により前述のトワイン繰出ローラｄから繰り出されてロールベールＢの周面に巻付いていくトワインｔの巻付位置を軸方向に順次変位させるトワイン案内金具ｅと、そのトワイン案内金具ｅの変位作動により、ロールベールＢの周面に対するトワインｔの巻付位置が、そのロールベールＢの軸端側に変位してきたときに、トワインｔに接触してそのトワインｔがロールベールＢの軸端側に変位するのを制限するよう機体１に固定装架しておく結束巾決金具ｆと、トワイン案内金具ｅの左右の往復移動によりそれに係合したトワインｔのロールベールＢの周面に対する巻付結束作動の工程が終了して、トワインｔがスタート位置に戻ってきたとき、そのトワインｔを切断するよう機体１に装架しておくナイフｋとからなる従来公知のものである。
【００２４】
このトワイン繰出装置ｗのトワインロールａから引き出したトワインｔに制動を与える前述のトワインブレーキｂは、図１３に示しているように、二枚の制動板４２・４２をそれらの間にトワインｔを挟み込ませた状態として重合し、それらをバネ４３・４３を介してボルト４４およびナット４５により閉じ合わせてなり、ナット４５の回動によりトワインｔに対する挟持圧が調節されるようにしてある。
【００２５】
また、前述のナイフｋは、図１４に示しているよう、支持機枠４６に対して刃身４７が、長穴４８による許容範囲を、支軸４９中心に自在に回動するようにしてあり、これによりトワインｔが図１４において左方に移動していくときには、刃身４７を同図において支軸４９中心に時計回りに回動させるように押し上げて、その刃身４７の下方を通過していくようになり、トワインｔが右方に移動していくときは、刃身４７が反時計方向の回動のエンドで止まっていて、その状態で切断されるようにしてある。
【００２６】
図１６は、上述のトワイン繰出装置ｗに組合わせるトワイン張力増強装置ｙの斜視図で、同図において、６および６は、トワイン繰出装置ｗの後面側に、左右方向に沿わせて、機体１に対して固定して設ける複数本の固定接触バー、７は前記固定接触バー６・６の間隔内に対し出入調節自在に設ける押込接触バーを示す。
【００２７】
機体１に対し固定して設ける固定接触バー６・６は、角パイプ状に形成してあって、機体１内の上部で、ベール成形室３の上方の前部寄りの部位に、機体１内を左右に横切るように配位してあり、かつ、トワイン繰出装置ｗからロールベールＢに繰り出されるトワインｔの繰出方向に間隔をおいてその方向に並列させてある。
【００２８】
そして、それの左右の両端部は、図１６にあるように、トワイン繰出装置ｗの後方に配位して機体１の左右の機壁の内面に取り付けられる取付座板６０・６０（図面では一方を省略している）に固着してある。
【００２９】
押込接触バー７は、丸棒状の鋼材よりなり、前述の固定接触バー６・６と平行して、機体１内を左右に横切る姿勢として、前述の固定接触バー６・６の間隔内に配位され、それの両端部は、前述の取付座板６０に略上下方向に変位調節自在に取り付けた支持機枠７０に支持され、その支持機枠７０が取付座板６０に対し上下方向に変位することで、前述の間隔に対し出入りするようにしてある。
【００３０】
ｚはこの押込接触バー７の、トワイン繰出装置ｗから繰り出されるトワインｔの繰出位置と対応する部位に設けた開口部で、押込接触バー７を、長手方向に２分して、左半側７ａと右半側７ｂとに切り離すことで形成してあり、その切り離し部には、その開口部ｚに臨むトワインｔがトワイン案内金具ｅに係合して左右方向に移動することにより、押込接触バー７のトワインｔを押し込む作用面となる内面側に引き込むよう誘導するガイド７１が装設してある。
【００３１】
この実施例は、トワイン繰出装置ｗをロールベールＢの軸方向における左半側と右半側とにそれぞれ対応させて二連に設ける形態のものであり、そのため、押込接触バー７の切り離された右半側７ｂは、ロールベールＢの右半側に対応する押込接触バー７の左半側７ａと連続する形態となっていて、これを、別の支持機枠７２に支持せしめて、固定接触バー６・６の長手方向の中間部に渡架した別の取付座板６１に、上下方向に進退調節自在に組付け支架せしめている。
【００３２】
７３は、押込接触バー７の右半側７ｂに接触しているトワインｔが、前記開口部ｚを越して左半側７ａに移動するときに、その開口部ｚから脱出しないように左半側７ａの端部に設けたガイドである。
【００３３】
７ｃはトワインｔが結束巾決金具ｆに係合している状態のときに、トワイン張力増強部材ｗによりトワインｔに与える張力を解放する張力解放部で、丸棒よりなる押込接触バー７の左半側７ａの端部を彎曲させて、その彎曲部７４により並列する固定接触バー６・６の下面側を通過するトワインｔから逃がすよう構成してあり、これによりトワインｔが自由空間に位置してトワイン案内金具ｅからロールベールＢの周面に向かうようにしている。
【００３４】
なお、図１７・図１８において、４ａはトワインｔの案内パイプ、８は、機体１内の上部に支架した支持部材８０から垂下させたゴム垂れである。
【００３５】
このように構成せるトワイン張力増強部材ｙは、トワイン繰出装置ｗのモーターＭが駆動されて、それにより繰り出されるトワインｔが、図１６のＩの如く、開口部ｚの外側を経て、図１９にあるように、トワイン案内金具ｅのスタート位置に垂れ下がってきたとき、トワイン案内金具ｅが右方に動いて、これに係合したトワインｔが右方に動くことで、押込接触バー７の右半側７ｂの切離端に設けたガイド７１に誘導されて、開口部ｚからその右半側７ｂの内面側に移行し、そこで、図１８にあるように、幾分傾斜して前後方向に並列する２本の固定接触バー６・６とそれらの間隔内に略上下方向に沿い押し込まれた状態の押込接触バー７とにより、ジグザグ状に折り曲げられて、それら三つの部材６・６・７に接触する状態となって、その抵抗により所定の張力が与えられるようになる。
【００３６】
そして、この状態となったトワインｔは、図１６において記号IIで示しているようにジグザグに折り曲げられた状態に保持されて、図２０・図２１の如く押込接触バー７の右半側７ｂの内面側位置を右方に進み、ロールベールＢの左右の中心部に至ったところで、トワイン案内金具ｅの動きが左方に折り返すことで、順次左方に進み、開口部ｚを跨いで、押込接触バー７の左半側７ａの内側位置に移行し、ここを、図１６において記号IIIに示している如くジグザグに屈曲した状態に保持されて、図２２・図２３の如く順次左方に移動し、さらに左方に動くことで、図２４にあるように結束巾決金具ｆに係合し、その状態でトワイン案内金具ｅがロールベールＢの軸端に向けて左方に動き、これにより、トワインｔがロールベールＢの軸端部から外れるのを阻止するとともに、結束巾決金具ｆとの摺接で張力が増強されて、その軸端部に対するトワインｔの巻付けを強固にする。
【００３７】
そして、トワインｔが結束巾決金具ｆに接しているときは、そのトワインｔは、前述の図１６において記号IVで示しているように、押込接触バー７の左半側７ａの端部に成形した彎曲部７４により形成した張力解放部７ｃ内に位置して、前後に並列する固定接触バー７・７のうちの後位の接触バー７に僅かに接触する程度になって、トワイン張力増強装置ｙにより与えられる張力が解放されて、トワインｔには、トワイン案内金具ｅと結束巾決金具ｆとにより張力が与えられる状態となる。
【００３８】
この状態においてトワイン案内金具ｅが図２４にあるよう左方への移動範囲のエンドに達して図２５の如く右方に折り返し、それによりトワインｔがナイフｋに接する位置に動いてくることで図２６にあるようそのナイフｋで切断され、それを検出するブザーによりブザーが鳴動して、ベールＢの回動の停止を知らせて結束工程が終了するようになる。
【００３９】
このトワイン張力増強装置ｙによりトワインｔに与える張力は、図１乃至図１１の従前手段のものにおける結束工程時のトワインｔに与えられる張力が、図２７のグラフにあるように、トワインｔが結束巾決金具ｆに接触してロールベールＢの端部に巻付いていくときだけ大きく、トワインｔが結束巾決金具ｆから離れてロールベールＢの中間部に巻付いていくときにはトワイン案内金具ｅとの接触で与えられる小さい張力となっているのに対し、図２８のグラフにあるように、トワインｔが結束巾決金具ｆから離れてロールベールＢの軸方向の中間部位に巻付けられているときにも、トワイン案内金具ｅにより与えられる張力に加えて、トワイン張力増強装置ｙにより与えられる張力が与えられ、かつ、その付加される張力が、結束巾決金具ｆにより与えられる張力と同程度となるので、ロールベールＢのトワインｔによる結束が、それの軸端部と中間部との両方を、緩みのない状態として行われるようになる。
【００４０】
【発明の効果】
以上説明したように、本発明によるロールベーラにおける結束装置は、トワイン繰出装置ｗから繰り出されて、それのトワイン案内金具ｅにより左右方向に順次変位させられながらベール成形室３内のロールベールＢの周面に巻付いていくトワインｔに対し、トワイン案内金具ｅとロールベールＢとの間に、そのトワイン案内金具ｅの移動軌跡に沿わせて設けたトワイン張力増強装置ｙによるトワインｔとの接触抵抗によって、張力を与えるようにしているのだから、ロールベールＢの周面の軸方向における中央部位にトワインｔを緩みを生ぜしめずに強固に巻付けられるようになる。
【００４１】
そして、トワイン張力増強装置ｙの、ロールベールＢの端部に対応する部位に、トワインｔが結束巾決金具ｆに接触している状態のときに、そのトワインｔとの接触による張力の増強を解放する張力解放部７ｃを形成しておくときは、このトワイン張力増強装置ｙによるロールベールＢの周面の中央部位に巻付けるトワインｔの張力増強を、結束巾決金具ｆによりロールベールＢの端部側に巻付くトワインｔに与える張力と同程度乃至それより少し小さい張力に制御して行えるので、ロールベールＢの周面の軸方向の端部側から中央部位に渡る略全域において、トワインｔに切断を生ぜしめることなく、かつ、緩みが生じない状態としてトワインｔにより強固に結束していけるようになる。
【図面の簡単な説明】
【図１】従前のロールベーラの概要縦断面図である。
【図２】同上のトワイン繰出装置部の一部破断した拡大図である。
【図３】同上のトワイン繰出装置から繰り出されたトワインがロールベールの周面に巻付いていく状態の説明図である。
【図４】同上のトワイン繰出装置から繰り出されるトワインによる結束作動の工程の説明図で、トワインが繰り出されたスタート位置の展開図である。
【図５】同上の結束工程の、トワイン案内金具が右方に動き出した状態時の説明図である。
【図６】同上の結束工程のトワイン案内金具が右方への移動のエンドに達した状態の説明図である。
【図７】同上の結束工程のトワイン案内金具が左方に折り返して移動した状態の説明図である。
【図８】同上の結束工程のトワイン案内金具がさらに左方に動いた状態の説明図である。
【図９】同上の結束工程でトワイン案内金具がロールベールの軸方向の端部側に移動してトワインが結束巾決金具に接触した状態の説明図である。
【図１０】同上の結束工程でトワイン案内金具が右方に折り返して動いた状態の説明図である。
【図１１】同上の結束工程で右方に動いたトワインがナイフに接触して切断されて結束を終了した状態の説明図である。
【図１２】本発明を実施せるロールベーラの概要縦断面図である。
【図１３】同上ロールベーラに組込んだトワインブレーキの斜視図である。
【図１４】同上のトワイン繰出装置のナイフの正面図である。
【図１５】同上のトワイン繰出装置とそれに組合わせたトワイン張力増強装置の位置関係の説明図である。
【図１６】同上のトワイン張力増強装置の斜視図である。
【図１７】同上のトワイン張力増強装置のトワイン繰出装置からトワインが繰り出された状態時における側断面図である。
【図１８】同上のトワイン張力増強装置の繰り出されたトワインに対し張力を与えている状態の側断面図である。
【図１９】同上のトワイン張力増強装置のトワイン繰出装置による結束作動の工程との関係の説明図で、トワインが繰り出されたスタート時の展開図ある。
【図２０】同上の結束工程で、トワインがトワイン案内金具が右方に動いた状態の説明図である。
【図２１】同上の結束工程のトワイン案内金具が右方への移動のエンドに達した状態の説明図である。
【図２２】（図７の説明）
【図２３】（図８の説明）
【図２４】（図９の説明）
【図２５】（図１０の説明）
【図２６】（図１１の説明）
【図２７】従前手段の結束工程中にトワインに与えられる張力の変化を現わす図表である。
【図２８】本発明手段の結束工程中にトワインに与えられる張力の変化を現わす図表である。
【符号の説明】
Ａ…ロールベーラ、Ｂ…ロールベール、Ｍ…モーター、ａ…トワインロール、ｂ…トワインブレーキ、ｃ…トワインプーリー、ｄ…トワイン繰出ローラ、ｅ…トワイン案内金具、ｆ…結束巾決金具、ｔ…トワイン、ｋ…ナイフ、ｗ…トワイン繰出装置、ｙ…トワイン張力増強装置、ｚ…開口部、１…機体、１０…収納庫、２…ピックアップ装置、３…ベール成形室、４…フレーム、４ａ…トワインの案内パイプ、４０…チエン、４１…  フック部、４２…制動板、４３…バネ、４４…ボルト、４５…ナット、４６…  支持機枠、４７…刃身、４８…長穴、４９…支軸、５０…  チエン、５１…タイ  トバー、６…固定接触バー、６０・６１…取付座板、７…押込接触バー、７ａ…左半側、７ｂ…右半側、７ｃ…張力解放部、７０…支持機枠、７１…ガイド、７２…支持機枠、７３…ガイド、７４…彎曲部、８…ゴム垂れ、８０…支持部材。
【図１】
0004562013.tif 000002
【図２】
0004562013.tif 000003
【図３】
0004562013.tif 000004
【図４】
0004562013.tif 000005
【図５】
0004562013.tif 000006
【図６】
0004562013.tif 000007
【図７】
0004562013.tif 000008
【図８】
0004562013.tif 000009
【図９】
0004562013.tif 000010
【図１０】
0004562013.tif 000011
【図１１】
0004562013.tif 000012
【図１２】
0004562013.tif 000013
【図１３】
0004562013.tif 000014
【図１４】
0004562013.tif 000015
【図１５】
0004562013.tif 000016
【図１６】
0004562013.tif 000017
【図１７】
0004562013.tif 000018
【図１８】
0004562013.tif 000019
【図１９】
0004562013.tif 000020
【図２０】
0004562013.tif 000021
【図２１】
0004562013.tif 000022
【図２２】
0004562013.tif 000023
【図２３】
0004562013.tif 000024
【図２４】
0004562013.tif 000025
【図２５】
0004562013.tif 000026
【図２６】
0004562013.tif 000027
【図２７】
0004562013.tif 000028
【図２８】
0004562013.tif 000029